(57)【要約】    【課題】      ネットワークを介して同一の移動体通信端末装置からデータ通信サーバに送信されるデータについて、公開するデータと非公開とするデータとを区別して送信することができ、かつ、その公開か非公開かによって前記データを別々に分けて保存することのできるデータ通信システム等を提供すること。    【解決手段】  公開属性設定部１１３は、データ入力部１１１から制御部１１２にデータが入力されたときに、制御部１１２からデータの種類、データ量の大きさ又はデータが入力される時間帯等の客観的な情報を受け取ってその情報に基づいて、或いは移動体通信端末装置１１０の使用者の操作に従って、前記入力されたデータ毎に公開するデータか非公開にするデータかを識別できる公開属性を設定してその情報をデータ毎に付加する。  【選択図】      図１
2005084933.tif 000002
【特許請求の範囲】
【請求項１】
データを入力する入力手段と、
入力された前記データ毎に公開属性を設定する公開属性設定手段と、
前記公開属性を設定された前記データを送信する送信手段と、
送信された前記データを受信する受信手段と、
受信された前記データの前記公開属性に基づいて前記データの保存場所を判定する公開判定手段と、
前記公開判定手段によって判定された前記保存場所に前記データを保存する公開データ保存手段と、
前記公開データ保存手段に保存された前記データを公開する公開手段と、
前記公開判定手段によって判定された前記保存場所に前記データを保存する非公開データ保存手段と、
前記非公開データ保存手段に保存された前記データを認証手続きを経たユーザに対してのみ開示する認証手段と、を具備することを特徴とするデータ通信システム。
【請求項２】
前記送信手段は、前記受信手段から前記データの受信完了時に受信確認を受け取る方式によって前記データを送信することを特徴とする請求項１記載のデータ通信システム。
【請求項３】
前記送信手段は、暗号化された前記データを送信することを特徴とする請求項１記載のデータ通信システム。
【請求項４】
データを入力する入力手段と、
入力された前記データ毎に公開属性を設定する公開属性設定手段と、
前記公開属性を設定された前記データを送信する送信手段と、を具備することを特徴とする移動体通信端末装置。
【請求項５】
個々に公開属性が設定されたデータを受信する受信手段と、
受信された前記データの前記公開属性に基づいて前記データの保存場所を判定する公開判定手段と、
前記公開判定手段によって判定された前記保存場所に前記データを保存する公開データ保存手段と、
前記公開データ保存手段に保存された前記データを公開する公開手段と、
前記公開判定手段によって判定された前記保存場所に前記データを保存する非公開データ保存手段と、
前記非公開データ保存手段に保存された前記データを認証手続きを経たユーザに対してのみ開示する認証手段と、を具備することを特徴とするデータ通信サーバ。
【請求項６】
画像又は動画画像を含むデータを入力する入力手段と、
入力された前記データに公開属性を設定する公開属性設定手段と、
設定された前記公開属性に基づいて前記データの送信先を選択する送信先選択手段と、
選択された前記送信先に前記公開属性が設定された前記データを送信する送信手段と、
送信された前記データを受信する第１の受信手段と、
前記第１の受信手段により受信された前記データを保存する公開データ保存手段と、
前記公開データ保存手段に保存された前記データを公開する公開手段と、
送信された前記データを受信する第２の受信手段と、
前記第２の受信手段により受信された前記データを保存する非公開データ保存手段と、
前記非公開データ保存手段に保存された前記データを認証手続きを経たユーザに対してのみ開示する認証手段と、を具備することを特徴とするデータ通信システム。
【請求項７】
前記送信先選択手段は、設定された前記公開属性に基づいて前記データの前記送信先の電子メールアドレスを選択し、
前記送信手段は、選択された前記送信先に、前記公開属性が設定された前記データを電子メールに添付して送信する、ことを特徴とする請求項６記載のデータ通信システム。
【請求項８】
データを入力する入力ステップと、
入力された前記データ毎に公開属性を設定する公開属性設定ステップと、
前記公開属性を設定された前記データを送信する送信ステップと、
送信された前記データを受信する受信ステップと、
受信された前記データの前記公開属性に基づいて前記データの保存場所を判定する公開判定ステップと、
前記公開判定ステップにおいて判定された前記保存場所に前記データを保存する公開データ保存ステップと、
前記公開データ保存ステップにおいて保存された前記データを公開する公開ステップと、
前記公開判定ステップにおいて判定された前記保存場所に前記データを保存する非公開データ保存ステップと、
前記非公開データ保存ステップにおいて保存された前記データを認証手続きを経たユーザに対してのみ開示する認証ステップと、を具備することを特徴とするデータ通信方法。
【請求項９】
画像又は動画画像を含むデータを入力する入力ステップと、
入力された前記データに公開属性を設定する公開属性設定ステップと、
設定された前記公開属性に基づいて前記データの送信先を選択する送信先選択ステップと、
選択された前記送信先に前記公開属性が設定された前記データを送信する送信ステップと、
送信された前記データを受信する第１の受信ステップと、
前記第１の受信ステップにおいて受信された前記データを保存する公開データ保存ステップと、
前記公開データ保存ステップにおいて保存された前記データを公開する公開ステップと、
送信された前記データを受信する第２の受信ステップと、
前記第２の受信ステップにおいて受信された前記データを保存する非公開データ保存ステップと、
前記非公開データ保存ステップにおいて保存された前記データを認証手続きを経たユーザに対してのみ開示する認証ステップと、を具備することを特徴とするデータ通信方法。
【発明の詳細な説明】
【技術分野】
【０００１】
本発明は、ディジタルカメラ等とディジタルカメラ等から画像データ等を受信して公開するサーバとを含んで構成されるデータ通信システム、ディジタルカメラ等の移動体通信端末装置、画像データ等を公開するデータ通信サーバ、並びに画像データ等についてのデータ通信方法に関する。
【背景技術】
【０００２】
従来、内蔵するメディアに記録し切れなくなった画像データを、携帯電話等を用いることによってネットワークを介して遠隔地にあるデータ通信サーバに送信するディジタルカメラが知られている（例えば、特許文献１参照）。
【特許文献１】特開２００３−１１０９７７号公報
【発明の開示】
【発明が解決しようとする課題】
【０００３】
しかしながら、従来のディジタルカメラでは、ユーザのＩＤ情報に基づいて画像データがデータ通信サーバに送信されるため、公開してもよい画像データと公開したくない画像データとを区別して送信することができない。そのため、データ通信サーバによって受信された全ての画像データがネットワークを利用する全てのユーザに対して公開されてしまう問題がある。
【０００４】
本発明はかかる点に鑑みてなされたものであり、ネットワークを介して同一の移動体通信端末装置からデータ通信サーバに送信されるデータについて、公開するデータと非公開とするデータとを区別して送信することができ、かつ、その公開か非公開かによって前記データを別々に分けて保存することのできるデータ通信システム、並びにこのデータ通信システムにおいて使用される移動体通信端末装置、データ通信サーバ及びデータ通信方法を提供することを目的とする。
【課題を解決するための手段】
【０００５】
本発明に係るデータ通信システムは、データを入力する入力手段と、入力された前記データ毎に公開属性を設定する公開属性設定手段と、前記公開属性を設定された前記データを送信する送信手段と、送信された前記データを受信する受信手段と、受信された前記データの前記公開属性に基づいて前記データの保存場所を判定する公開判定手段と、前記公開判定手段によって判定された前記保存場所に前記データを保存する公開データ保存手段と、前記公開データ保存手段に保存された前記データを公開する公開手段と、前記公開判定手段によって判定された前記保存場所に前記データを保存する非公開データ保存手段と、前記非公開データ保存手段に保存された前記データを認証手続きを経たユーザに対してのみ開示する認証手段と、を具備する構成を採る。
【０００６】
この構成によれば、ネットワークを介してデータ通信サーバに送信するデータに予め公開属性を付与できるため、公開してもよいデータをデータ通信サーバにて簡単に公開できると伴に、非公開とすべきデータについては秘匿性を確保することができる。
【０００７】
本発明に係るデータ通信システムは、前記発明において、前記送信手段は、前記受信手段から前記データの受信完了時に受信確認を受け取る方式によって前記データを送信する構成を採る。
【０００８】
この構成によれば、前記発明による効果に加えて、移動体通信端末装置から送信されたデータをデータ通信サーバが受信完了したときに、データ通信サーバから移動体通信端末装置に受信確認が送信されるため、伝送エラー等によってデータ通信サーバに受信されなかったデータを移動体通信端末装置の使用者が誤って消去してしまうことを防止することができる。
【０００９】
本発明に係るデータ通信システムは、前記発明において、前記送信手段は、暗号化された前記データを送信する構成を採る。
【００１０】
この構成によれば、前記発明による効果に加えて、ネットワークを介してデータを送信する際に、非公開とするデータの秘匿性を確保することができる。
【００１１】
本発明に係る移動体通信端末装置は、データを入力する入力手段と、入力された前記データ毎に公開属性を設定する公開属性設定手段と、前記公開属性を設定された前記データを送信する送信手段と、を具備する構成を採る。
【００１２】
この構成によれば、ネットワークを介してデータ通信サーバに送信するデータに予め公開属性を付与できるため、公開してもよいデータをデータ通信サーバにて簡単に公開できると伴に、非公開とすべきデータについては秘匿性を確保することができる。
【００１３】
本発明に係るデータ通信サーバは、個々に公開属性が設定されたデータを受信する受信手段と、受信された前記データの前記公開属性に基づいて前記データの保存場所を判定する公開判定手段と、前記公開判定手段によって判定された前記保存場所に前記データを保存する公開データ保存手段と、前記公開データ保存手段に保存された前記データを公開する公開手段と、前記公開判定手段によって判定された前記保存場所に前記データを保存する非公開データ保存手段と、前記非公開データ保存手段に保存された前記データを認証手続きを経たユーザに対してのみ開示する認証手段と、を具備する構成を採る。
【００１４】
この構成によれば、ネットワークを介してデータ通信サーバに送信するデータに予め公開属性を付与できるため、公開してもよいデータをデータ通信サーバにて簡単に公開できると伴に、非公開とすべきデータについては秘匿性を確保することができる。
【００１５】
本発明に係るデータ通信システムは、画像又は動画画像を含むデータを入力する入力手段と、入力された前記データに公開属性を設定する公開属性設定手段と、設定された前記公開属性に基づいて前記データの送信先を選択する送信先選択手段と、選択された前記送信先に前記公開属性が設定された前記データを送信する送信手段と、送信された前記データを受信する第１の受信手段と、前記第１の受信手段により受信された前記データを保存する公開データ保存手段と、前記公開データ保存手段に保存された前記データを公開する公開手段と、送信された前記データを受信する第２の受信手段と、前記第２の受信手段により受信された前記データを保存する非公開データ保存手段と、前記非公開データ保存手段に保存された前記データを認証手続きを経たユーザに対してのみ開示する認証手段と、を具備する構成を採る。
【００１６】
この構成によれば、データ通信サーバにおけるデータの保存場所を移動体通信端末装置においてデータの送信前に具体的に選択することができるため、データ通信サーバの構成を簡素化できると伴に、データ通信サーバにかかる信号処理の負荷を軽減することができる。
【００１７】
本発明に係るデータ通信システムは、前記発明において、前記送信先選択手段は、設定された前記公開属性に基づいて前記データの前記送信先の電子メールアドレスを選択し、前記送信手段は、選択された前記送信先に、前記公開属性が設定された前記データを電子メールに添付して送信する構成を採る。
【００１８】
この構成によれば、前記発明による効果に加えて、データを電子メールに添付して送信するため、既存のネットワークを利用してデータ通信システムを簡便に構成することができる。
【００１９】
本発明に係るデータ通信方法は、データを入力する入力ステップと、入力された前記データ毎に公開属性を設定する公開属性設定ステップと、前記公開属性を設定された前記データを送信する送信ステップと、送信された前記データを受信する受信ステップと、受信された前記データの前記公開属性に基づいて前記データの保存場所を判定する公開判定ステップと、前記公開判定ステップにおいて判定された前記保存場所に前記データを保存する公開データ保存ステップと、前記公開データ保存ステップにおいて保存された前記データを公開する公開ステップと、前記公開判定ステップにおいて判定された前記保存場所に前記データを保存する非公開データ保存ステップと、前記非公開データ保存ステップにおいて保存された前記データを認証手続きを経たユーザに対してのみ開示する認証ステップと、を具備するようにした。
【００２０】
この方法によれば、ネットワークを介してデータ通信サーバに送信するデータに予め公開属性を付与できるため、公開してもよいデータをデータ通信サーバにて簡単に公開できると伴に、非公開とすべきデータについては秘匿性を確保することができる。
【００２１】
本発明に係るデータ通信方法は、画像又は動画画像を含むデータを入力する入力ステップと、入力された前記データに公開属性を設定する公開属性設定ステップと、設定された前記公開属性に基づいて前記データの送信先を選択する送信先選択ステップと、選択された前記送信先に前記公開属性が設定された前記データを送信する送信ステップと、送信された前記データを受信する第１の受信ステップと、前記第１の受信ステップにおいて受信された前記データを保存する公開データ保存ステップと、前記公開データ保存ステップにおいて保存された前記データを公開する公開ステップと、送信された前記データを受信する第２の受信ステップと、前記第２の受信ステップにおいて受信された前記データを保存する非公開データ保存ステップと、前記非公開データ保存ステップにおいて保存された前記データを認証手続きを経たユーザに対してのみ開示する認証ステップと、を具備するようにした。
【００２２】
この方法によれば、データ通信サーバにおけるデータの保存場所を移動体通信端末装置においてデータの送信前に具体的に選択することができるため、データ通信サーバの構成を簡素化できると伴に、データ通信サーバにかかる信号処理の負荷を軽減することができる。
【発明の効果】
【００２３】
本発明によれば、ネットワークを介してデータ通信サーバに送信するデータに予め公開属性を付与できるため、公開してもよいデータをデータ通信サーバにて簡単に公開できると伴に、非公開とすべきデータについては秘匿性を確保することができる。
【発明を実施するための最良の形態】
【００２４】
本発明の骨子は、移動体通信端末装置からデータ通信サーバにデータを送信する際に、移動体通信端末装置において送信されるデータに予め公開してもよいか非公開とするかについての情報をデータ毎に設定しておき、この情報に基づいてデータ通信サーバにおけるデータの保存場所を判定することである。
【００２５】
以下、本発明の実施の形態について、図面を参照しつつ詳細に説明する。
【００２６】
（実施の形態１）
図１は、本発明の実施の形態１に係るデータ通信システムの構成を示すブロック図である。
【００２７】
本実施の形態におけるデータ通信システムは、移動体通信端末装置１１０、データ通信サーバ１２０及びネットワーク１３０を具備する。
【００２８】
また、移動体通信端末装置１１０は、データ入力部１１１、制御部１１２、公開属性設定部１１３、メモリ１１４、送信先選択部１１５、送信部１１６及び表示機器１１７を具備する。
【００２９】
また、データ通信サーバ１２０は、受信部１２１、公開判定部１２２、公開データ保存部１２３、公開部１２４、非公開データ保存部１２５及び認証部１２６を具備する。
【００３０】
移動体通信端末装置１１０は、画像データ、動画画像データ、音声データ、音楽データ又はプログラムデータ等の比較的容量の大きいデータを取り込み、再生し、実行できるものであって、携帯性を確保するために寸法や重量が制限されることから、容量の大きなメモリや記録メディアを内蔵することができず、これらのデータを内蔵するメモリ１１４に全て保存しておくことができないものである。移動体通信端末装置１１０は、その種類を特に限定されるものではなく、例えばディジタルカメラ、カメラ付携帯電話、ＰＤＡ又はラップトップコンピュータが挙げられる。
【００３１】
データ入力部１１１は、外部からデータを取り込む機器であって、データの種類によりその構成は異なるが、画像データや動画画像データを取り込む場合はＣＣＤカメラにより、音声データを取り込む場合はマイクロフォンにより、プログラムを取り込む場合はブルートゥースや無線ＬＡＮ等の通信モジュールにより構成される。また、データ入力部１１１は、画像データ、動画画像データ、音声データ乃至プログラムが記録されたＳＤメモリカードやフラッシュメモリカード等の記録メディアからデータを読み出すモジュールにより構成されてもよい。
【００３２】
制御部１１２は、ＬＳＩやＣＰＵ等を具備する電子回路で構成され、予め組み込まれたロジックや移動体通信端末装置１１０の使用者の操作に従って移動体通信端末装置１１０の動作を統括的に制御する。
【００３３】
公開属性設定部１１３は、データ入力部１１１から制御部１１２にデータが入力されたときに、制御部１１２からデータの種類、データ量の大きさ又はデータが入力される時間帯等の客観的な情報を受け取ってその情報に基づいて、或いは移動体通信端末装置１１０の使用者の操作に従って、前記入力されたデータ毎に公開するデータか非公開にするデータかを識別できる公開属性を設定してその情報をデータ毎に付加する。
【００３４】
メモリ１１４は、フラッシュメモリ等で構成され、公開属性が設定されたデータをデータ通信サーバ１２０に送信するまで一時的に保持する。
【００３５】
送信先選択部１１５は、複数の送信先が登録された内部メモリとその内部メモリを参照して送信先を選択できる論理回路とを含んで構成され、公開属性を設定されたデータが送信される際に、その公開属性に基づいてデータの送信先をデータ毎に選択し、選択された送信先に関する情報を制御部１１２に報告する。この選択された送信先に関する情報としては、例えば電子メールアドレスやグローバルＩＰアドレスが挙げられる。
【００３６】
送信部１１６は、無線通信又は有線通信を問わず、ネットワークにデータを送信するためにそのデータに公知の信号処理を施す。
【００３７】
表示機器１１７は、液晶ディスプレイ等で構成され、データを再生し又は実行してその結果を映像として表示する。なお、音声データや音楽データの場合は、表示機器１１７には、スピーカ等の音声発生器も含まれる。
【００３８】
データ通信サーバ１２０は、移動体通信端末装置１１０から送信されてくるデータをそのデータの送信先として設定された電子メールアドレスやグローバルＩＰアドレス等に応じて所定の場所に保存すると伴に、公開するデータについてはネットワークユーザに対して認証手続きを要求せずに公開し、非公開にするデータについては認証手続きを経たネットワークユーザに対してのみデータを開示する。
【００３９】
受信部１２１は、無線通信又は有線通信の別を問わず、移動体通信端末装置１１０からネットワークを介して送信されてくるデータを受信し、受信されたデータに公知の信号処理を施す。
【００４０】
公開判定部１２２は、受信部１２１から入力されてくる複数のデータを、その送信先として選択された場所即ち公開データ保存部１２３又は非公開データ保存部１２５にデータ毎に入力する。
【００４１】
公開データ保存部１２３は、汎用のストレージ機器を含んで構成され、公開判定部１２２から入力されてくるデータを保存すると伴に、公開部１２４からのアクセス即ち認証手続きを経ていないネットワークユーザに対してそのデータを公開する。
【００４２】
公開部１２４は、汎用のＷｅｂサーバ等で構成され、ネットワークユーザに対して認証手続きを要求することなく公開データ保存部１２３に保存されるデータを提供する。
【００４３】
非公開データ保存部１２５は、汎用のストレージ機器を含んで構成され、公開判定部１２２から入力されてくるデータを保存すると伴に、認証部１２６からのアクセス即ち認証手続きを経たネットワークユーザにのみ保存するデータを開示する。
【００４４】
認証部１２６は、公知の認証サーバ等で構成され、ネットワークを介して非公開データ保存部１２５にアクセスしようとするユーザに対して所定の認証手続きを実施し、認証されたユーザにのみ非公開データ保存部１２５へのアクセスを許可する。
【００４５】
なお、データ通信サーバ１２０は、一つの筐体に全ての構成部が収容される必要はなく、各構成部がＬＡＮ等により接続されて連動するように構成されていれば、各構成部が異なる場所に分散配置されていてもよい。また、公開部１２４のＷｅｂサーバや認証部１２６の認証サーバは、物理的に一つのハードウェアをソフトウェアによって仮想的に２つのサーバと見立てて使用するものでもよい。また、公開データ保存部１２３と非公開データ保存部１２５とは、保存するデータの公開属性によってアクセス権を設定できるものであれば、物理的に一つのストレージ機器上に公開データ保存領域と非公開データ保存領域とを構成したものでもよい。
【００４６】
ネットワーク１３０は、インターネットに代表される複数のユーザが同時利用可能で、かつ、データ通信可能なコンピュータネットワークである。
【００４７】
次いで、本実施の形態に係る移動体通信端末装置１１０の動作について説明する。なお、以下の説明では、移動体通信端末装置１１０として通信機能を備えるディジタルカメラを使用し、このディジタルカメラからデータ通信サーバ１２０に画像データを電子メールに添付して送信する場合を例に説明する。
【００４８】
ＣＣＤカメラ等で構成されるデータ入力部１１１から入力された画像データは、制御部１１２に入力されたときに、その画像データの客観的な情報に基づいて、或いはディジタルカメラの使用者の操作に従って、公開属性設定部１１３により画像データ毎に「公開可能」又は「公開不可」という公開属性を設定される。この公開属性を設定された画像データは、メモリ１１４に一時保持される。メモリ１１４に保持された画像データは、メモリ１１４が画像データで満たされたときに、或いはディジタルカメラの使用者が画像データをデータ通信サーバ１２０に送信する操作を行ったときに、制御部１１２によって読み出される。制御部１１２に読み出された画像データは、その設定された公開属性に応じて、送信先選択部１１５から通知された具体的な送信先即ち公開データ保存部１２３の電子メールアドレス「image-public@email.com」又は非公開データ保存部１２５の電子メールアドレス「image-hidden@email.com」を宛先とする電子メールに添付ファイルとして添付される。なお、非公開データ保存部１２５に送信される画像データは、電子メールに添付されるときに、制御部１１２によって自動的に公知の暗号化処理を施される。この電子メールに添付された画像データは、送信部１１６において公知のパケット化処理等を施されて、インターネットを含むネットワーク１３０上に送信される。なお、この電子メールに添付される画像データは、通常は移動体通信端末装置１１０の使用者の操作によって消去されるまでメモリ１１４に保持される。しかし、この電子メールの送信と同時に、制御部１１２がメモリ１１４に保持される前記画像データを自動的に消去するようにしてもよい。
【００４９】
このディジタルカメラにおける画像データの処理の流れについて、図２のフロー図を用いて説明する。
【００５０】
ステップＳＴ２１０では、データ入力部１１１から制御部１１２に入力されてくる画像データに対し、データの大きさ等の客観的な情報に基づいて、或いはディジタルカメラの使用者の操作に従って、公開属性設定部１１３により画像データ毎に「公開可能」又は「公開不可」を内容とする公開属性が設定される。公開属性が設定された画像データは、メモリ１１４に一時保持される。そして、ディジタルカメラからデータ通信サーバ１２０に画像データが送信される際に、メモリ１１４から制御部１１２に画像データが読み出される。
【００５１】
ステップＳＴ２２０では、読み出された画像データの公開属性を制御部１１２が「公開可能」と判定した場合に、制御部１１２が送信先選択部１１５に公開データ保存部１２３の電子メールアドレスを問い合わせる。そして、制御部１１２は、送信先選択部１１５からの回答即ち「image-public@email.com」を画像データの送信先として設定する。
【００５２】
また、ステップＳＴ２３０では、ステップＳＴ２２０と同様に、読み出された画像データの公開属性を制御部１１２が「公開不可」と判定した場合に、制御部１１２が送信先選択部１１５に非公開データ保存部１２５の電子メールアドレスを問い合わせる。そして、制御部１１２は、送信先選択部１１５からの回答即ち「image-hidden@email.com」を画像データの送信先として設定する。
【００５３】
最後に、ステップ２４０では、ステップＳＴ２２０及びステップＳＴ２３０における電子メールアドレスを宛先とする電子メールが制御部１１２によって作成され、その電子メールに画像データが添付ファイルとして添付される。そして、この画像データを添付された電子メールは、送信部１１６において公知のパケット化処理等を施された後に、インターネット上に送信される。
【００５４】
なお、複数の画像データを送信する場合は、ステップＳＴ２１０からステップＳＴ２４０までの各ステップが繰り返し実施される。
【００５５】
続いて、本実施の形態に係るデータ通信サーバ１２０の動作について説明する。なお、以下の説明では、移動体通信端末装置１１０から「公開可能」又は「公開不可」を内容とする公開属性が設定された画像データが電子メールに添付されて送信されてくる場合を例に説明する。
【００５６】
インターネットを含むネットワーク１３０を介して受信部１２１に受信された電子メールは、受信部１２１において公知の信号処理を施された後に公開判定部１２２に入力される。公開判定部１２２では、その電子メールに添付された画像データが抽出される。そして、この抽出された画像データは、電子メールの宛先として記載された電子メールアドレスに応じて公開データ保存部１２３又は非公開データ保存部１２５に入力される。公開データ保存部１２３に保存される画像データへのアクセスを希望するネットワークユーザは、先ずＷｅｂサーバである公開部１２４にアクセスして公開部１２４から画像データの提供を受ける。なお、公開部１２４は、クラッキング等の一般的な不正アクセスに対する防御手段は備えるものの、正規の手順でアクセスしてくるネットワークユーザに対しては公開データ保存部１２３へのアクセスを何ら制限しない。一方で、非公開データ保存部１２５に保存される画像データにアクセスを希望するネットワークユーザは、先ず認証サーバである認証部１２６にアクセスして、所定の認証手続きを経る必要がある。このような認証手続きとしては、ネットワークユーザを特定するための公知の認証手続き、例えばユーザＩＤとパスワードとの組み合わせが挙げられる。この認証部１２６における認証手続きを経たネットワークユーザのみが、非公開データ保存部１２５に保持される画像データにアクセスすることを許可される。
【００５７】
このように本実施の形態に係るデータ通信システムによれば、ディジタルカメラ等において内蔵するメディアに記録し切れなくなった画像データ等を逐次データ通信サーバに転送することができるため、そのディジタルカメラ等の使用者は、画像データ等を大量に記録する場合でも予備のメディアを携帯する必要がなくなる。
【００５８】
また、本実施の形態に係るデータ通信システムによれば、画像データ毎に公開属性が設定され、その公開属性に従ってデータ通信サーバにおける保存場所が選択されるため、ディジタルカメラ等からデータ通信サーバに複数の画像データ等を送信する場合でも、非公開とする画像データ等の秘匿性を確保しつつ、公開する画像データ等については迅速に公開することができる。
【００５９】
なお、本実施の形態に係るデータ通信システム、移動体通信端末装置又はデータ通信サーバについて、以下のように応用したり、変形したりしてもよい。
【００６０】
本実施の形態では、ディジタルカメラから画像データを電子メールに添付してデータ通信サーバに送信する場合について説明したが、本発明はこの場合に限定されるものではなく、例えばＦＴＰ(File Transfer Protocol)方式によってラップトップコンピュータからデータ通信サーバに動画画像データを送信してもよい。
【００６１】
また、本実施の形態では、移動体通信端末装置１１０においてデータに設定された公開属性に基づいて送信先が具体的に選択される場合について説明したが、本発明はこの場合に限定されるものではなく、例えばデータに公開属性が設定された段階で移動体通信端末装置１１０からそのデータが送信されて、そのデータの公開属性に応じてデータ通信サーバ１２０の公開判定部１２２がその保存場所を具体的に決定するようにしてもよい。このようにすれば、移動体通信端末装置１１０にかかる信号処理の負荷を軽減できると伴に、データ通信サーバ１２０におけるストレージ機器の空き容量等によってデータの保存場所を適宜調整することができるため、データ通信サーバ１２０の利用状況に対する適応性を一層高めることができる。
【００６２】
また、本実施の形態では、データの公開属性として公開か非公開かのいずれかを択一的に設定する場合について説明したが、本発明はこの場合に限定されるものではなく、例えば非公開とするデータの重要度に応じてランク付けを行い、そのランク毎に認証部１２６において異なる認証手続きをネットワークユーザに要求するようにしてもよい。このようにすれば、非公開とされたデータの重要度に応じてデータの秘匿性を確保しつつ、非公開とされたデータへのアクセスを希望するネットワークユーザへの利便性も改善することができる。
【００６３】
また、本実施の形態では、画像データを送信する場合について説明したが、本発明はこの場合に限定されるものではなく、例えば音声データ、動画画像データ、テキストデータ又はプログラムデータを送信してもよい。
【００６４】
また、本実施の形態では、画像データが公開データ保存部１２３又は非公開データ保存部１２５に保存された後は、ネットワークユーザに対して公開又は開示されるだけである場合について説明したが、本発明はこの場合に限定されるものではなく、例えば公開データ保存部１２３に保存される画像データについて、その公開属性を変更して非公開データ保存部１２５に新たに保存し直すようにしてもよい。同様に、非公開データ保存部１２５に保存される画像データについて、その公開属性を変更して、公開データ保存部１２３に新たに保存し直すようにしてもよい。このようにすれば、時間経過と伴にデータの持つ意味合いが変化する場合に、データ通信サーバ１２０から該当するデータを一旦削除し所定の公開属性を付与し直して再保存する手間を省くことができる。これにより、データ通信サーバ１２０の操作性を改善することができる。
【００６５】
（実施の形態２）
図３は、本発明の実施の形態２に係るデータ通信システムの構成を示すブロック図である。本実施の形態に係るデータ通信システムは、実施の形態１に係るデータ通信システムにおいて、データ通信サーバ１２０の代わりに、公開するデータのみを取り扱う公開データサーバ３２０と、非公開とするデータのみを取り扱う非公開データサーバ３３０及び秘密データサーバ３４０と、を具備するものである。また、本実施の形態では、移動体通信端末装置１１０から公開データサーバ３２０、非公開データサーバ３３０又は秘密データサーバ３４０にネットワーク１３０を介してデータを送信するときに、ＦＴＰ(File Transfer Protocol)方式を使用する。
【００６６】
以下、本実施の形態に係るデータ通信システムの構成及び動作について説明するが、本実施の形態に係るデータ通信システムの多くの構成部は、実施の形態１に係るデータ通信システムの各構成部と同様の機能を発揮するため、これら同様の機能を発揮する構成部については同一の参照符号を付してその説明を省略する。なお、同一の参照符号を付した構成部であっても、その動作に特筆すべき事項がある場合には説明を加える。
【００６７】
公開データサーバ３２０は、受信部３２１、公開データ保存部１２３及び公開部１２４を具備する。受信部３２１は、ＦＴＰ方式で送信されてくるデータを受信し、受信完了時に受信確認を移動体通信端末装置１１０に送信する。
【００６８】
非公開データサーバ３３０は、受信部３３１、非公開データ保存部１２５及び認証部１２６を具備する。受信部３３１もＦＴＰ方式で送信されてくるデータを受信し、受信完了時に受信確認を移動体通信端末装置１１０に送信する。
【００６９】
秘密データサーバ３４０は、受信部３４１及び秘密データ保存部３４２を具備し、非公開データサーバ３３０から認証部１２６が取り除かれた構成を採る。即ち、秘密データ保存部３４２は、非公開データ保存部１２５において、保存されるデータをネットワークユーザに開示するための手段が取り除かれたものである。従って、受信部３４１は、ＦＴＰ方式で送信されてくるデータを受信し、受信完了時に受信確認を移動体通信端末装置１１０に送信するものの、秘密データ保存部３４２は、いかなるネットワークユーザに対しても保存されたデータを公開又は開示しない。なお、ネットワーク１３０を介することなく秘密データ保存部３４２に直接アクセスすれば、保存されたデータを閲覧したり、取り出したりすることができる。
【００７０】
送信先選択部１１５は、データに設定された公開属性に応じて、具体的な送信先即ち公開データ保存部１２３のＵＲＬ(Uniform Resource Locator)「ftp://server1/public/」等、非公開データ保存部１２５のＵＲＬ「ftp://server2/private/」又は秘密データ保存部３４２のＵＲＬ「ftp://server3/secret/」等をデータ毎に制御部１１２に報告する。この報告を受けた制御部１１２は、ネットワーク１３０を介して公開データサーバ３２０、非公開データサーバ３３０乃至秘密データサーバ３４０との間で通信回線を順次形成して、それぞれのサーバに送信する複数のデータをまとめて送信する。そして、送信した全てのデータについて、公開データサーバ３２０、非公開データサーバ３３０乃至秘密データサーバ３４０から受信確認を図示しない受信部によって受信したときに、制御部１１２は、受信確認に対応する通信回線を切断して、その通信を終了させる。なお、ＦＴＰ方式では、通信回線を形成する際にＦＴＰサーバである公開データサーバ３２０、非公開データサーバ３３０又は秘密データサーバ３４０からユーザＩＤ及びパスワードの入力を要求されるが、本実施の形態においては、移動体通信端末装置１１０に予めこれらが登録されているか、或いは都度ネットワークユーザに入力を求めるものとする。
【００７１】
このように本実施の形態に係るデータ通信システムによれば、データがＦＴＰ方式により送信されるため、公開データサーバ３２０又は非公開データサーバ３３０にデータが全て受信されたか確認することができる。その結果、伝送エラー等によって公開データサーバ３２０、非公開データサーバ３３０又は秘密データサーバ３４０に保存されなかったデータを、移動体通信端末装置１１０の使用者が誤って消去してしまうことを防止することができる。
【００７２】
なお、本実施の形態では、ＦＴＰ方式を使用してデータを送信する場合について説明したが、本発明はこの場合に限定されるものではなく、例えばＨＴＴＰ(Hyper-Text Transport Protocol)方式等のプロトコルを使用してもよい。
【００７３】
（実施の形態３）
図４は、本発明の実施の形態３に係るデータ通信システムの構成を示すブロック図である。本実施の形態に係るデータ通信システムは、実施の形態１に係るデータ通信システムにおいて、移動体通信端末装置１１０がデータ通信サーバ１２０にネットワーク１３０を介してデータを送信する代わりに、移動体通信端末装置１１０がデータ通信サーバ１２０にブルートゥース方式の近距離無線通信回線４３０を介してデータを送信する。従って、本実施の形態に係るデータ通信システムの多くの構成部は、実施の形態１に係るデータ通信システムの各構成部と同様の機能を発揮する。そこで、以下に本実施の形態に係るデータ通信システムの構成及び動作について説明するが、実施の形態１に係るデータ通信システムの各構成部と同様の機能を発揮する構成部については、同一の参照符号を付してその説明を省略する。
【００７４】
本実施の形態に係るデータ通信システムでは、移動体通信端末装置１１０からデータ通信サーバ１２０にブルートゥース方式の近距離無線通信回線４３０を介してデータを送信するため、移動体通信端末装置１１０の送信部１１６及びデータ通信サーバ１２０の受信部１２１の構成を簡素化することができる。また、ブルートゥース方式の近距離無線通信回線４３０を介する通信であれば、データ送信側の送信電力を低く抑えることができることから、一度の充電で移動体通信端末装置１１０をより長く使用することができるようになる。また、ブルートゥース方式の近距離無線通信回線４３０を介する通信であれば、データは全て暗号化されて送信されるため、非公開と設定されたデータの秘匿性を確保することができる。
【００７５】
なお、本実施の形態では、移動体通信端末装置１１０とデータ通信サーバ１２０との間の通信方式がブルートゥース方式である場合について説明したが、本発明はこの場合に限定されるものではなく、例えばＵＳＢ(Universal Serial Bus)、ＩＥＥＥ１３９４、ＩｒＤＡ(InfraRed Data Association)又はウルトラワイドバンド等の通信方式であってもよい。
【産業上の利用可能性】
【００７６】
本発明に係るデータ通信システム、移動体通信端末装置、データ通信サーバ及びデータ通信方法は、ネットワークを介してデータ通信サーバに送信するデータに予め公開属性を付与できるため、公開してもよいデータをデータ通信サーバにて簡単に公開できると伴に、非公開とすべきデータについては秘匿性を確保することができるという効果を有し、カメラ付携帯電話等の移動体通信端末装置、Ｗｅｂサーバ等のデータ通信サーバ、これらを含んで構成されるデータ通信システム及びそのシステムにおけるデータ通信方法等として有用である。
【図面の簡単な説明】
【００７７】
【図１】本発明の実施の形態１に係るデータ通信システムの構成を示すブロック図
【図２】本発明の実施の形態１に係る移動体通信端末装置の動作を示すフロー図
【図３】本発明の実施の形態２に係るデータ通信システムの構成を示すブロック図
【図４】本発明の実施の形態３に係るデータ通信システムの構成を示すブロック図
【符号の説明】
【００７８】
１１０  移動体通信端末装置
１１１  データ入力部
１１２  制御部
１１３  公開属性設定部
１１４  メモリ
１１５  送信先選択部
１１６  送信部
１１７  表記機器
１２０  データ通信サーバ
１２１、３２１、３３１、３４１  受信部
１２２  公開判定部
１２３  公開データ保存部
１２４  公開部
１２５  非公開データ保存部
１２６  認証部
１３０  ネットワーク
３２０  公開データサーバ
３３０  非公開データサーバ
３４０  秘密データサーバ
３４２  秘密データ保存部
４３０  ブルートゥース方式の近距離無線通信回線
【図１】
2005084933.tif 000003
【図２】
2005084933.tif 000004
【図３】
2005084933.tif 000005
【図４】
2005084933.tif 000006